(57)【特許請求の範囲】
【請求項１】
両スプロケットに巻き掛けられたチェーンを押圧して適度な緊張を常時与える為のテンショナーレバーにおけるシューの取り付け構造において、該テンショナーレバーは金属製のアームと樹脂製のシューから成り、上記アームは所定の間隔を隔てた２枚の平行な側板の両端に形成した穴にブシュ又はピンを嵌めた構造とし、該アームの一方に形成した係合部にシューの係合片を係合すると共に、シューの他方に設けた一対のツメ間に形成した空間に上記アームのブシュ又はピンを嵌めて両ツメにて挟み込んで取り付けし、そしてシューの下面に設けた凸部をアームの両側板と噛み合わせて位置ズレの防止を図ったことを特徴とするテンショナーレバーにおけるシューの取り付け構造。
【請求項２】
両スプロケットに巻き掛けられたチェーンに接触してガイドする為のチェーンガイドにおけるシューの取り付け構造において、該チェーンガイドは金属製のアームと樹脂製のシューから成り、上記アームは所定の間隔を隔てた２枚の平行な側板の両端に形成した穴にブシュ又はピンを嵌めた構造とし、該アームの一方に形成した係合部にシューの係合片を係合すると共に、シューの他方に設けた一対のツメ間に形成した空間に上記アームのブシュ又はピンを嵌めて両ツメにて挟み込んで取り付けし、そしてシューの下面に設けた凸部をアームの両側板と噛み合わせて位置ズレの防止を図ったことを特徴とするチェーンガイドにおけるシューの取り付け構造。
【請求項３】
両スプロケットに巻き掛けられたチェーント接触することなく走行するチェーンに平行して配置されるチェーンダンパーにおけるシューの取り付け構造において、該チェーンダンパーは金属製のアームと樹脂製のシューから成り、上記アームは所定の間隔を隔てた２枚の平行な側板の両端に形成した穴にブシュ又はピンを嵌めた構造とし、該アームの一方に形成した係合部にシューの係合片を係合すると共に、シューの他方に設けた一対のツメ間に形成した空間に上記アームのブシュ又はピンを嵌めて両ツメにて挟み込んで取り付けし、そしてシューの下面に設けた凸部をアームの両側板と噛み合わせて位置ズレの防止を図ったことを特徴とするチェーンダンパーにおけるシューの取り付け構造。
【発明の詳細な説明】
【０００１】
【発明の属する技術分野】
本発明は駆動軸と従動軸のスプロケットに捲き掛けられたチェーンに、常時適当な緊張力をあたえるテンシュナーレバー、又テンショナーレバーの反対側に配置されるチェーンガイド及びチェーンダンパーにおけるにシューの取り付け構造に関するものである。
【０００２】
【従来技術】
図４は一般的なチェーン駆動装置を表しているが、チェーン（イ）は駆動軸（ロ）と従動軸（ハ）に取着しているスプロケット（ニ）、（ホ）に巻き掛けられており、該チェーン（イ）はテンショナーレバー（ヘ）によって押圧されて、適当な緊張力が常時作用している。従って両スプロケット（ニ）、（ホ）の回転と共に走行するチェーン（イ）の振動を抑制し、従動軸（ハ）へ時間の遅れを生じることなく伝達される。また振動を抑制することでチェーン（イ）に作用する衝撃力はなくなり、チェーン寿命を向上させることが出来る。
【０００３】
ところで、テンショナーレバー（ヘ）はテンショナー（ト）によって押圧されてチェーン（イ）に作用しているが、このテンショナーレバー（ヘ）の形態には色々あり、一般的には金属製アームにゴム製又は樹脂製のシューが接着されたり、シューがアームと一体的に成形されている。上記シューをアームに接着した場合には剥がれることもあり、又シューをアームと一体成形する場合には成形金型を必要とし、製作コストは高くなる。
【０００４】
そこで別々に製作したアームとシューを、接着剤を用いることなく組み立て・固定したテンショナーレバーが知られている。実公平７−３６２０１号に係る合成樹脂製シューを備えたチェーンガイドレールはシューをシュー支持部材に着脱可能に取り付けた構造と成っている。すなわち、シュー支持部材のチェーン走行始端部にシューに形成した端部フック片を係合し、又シューに形成したＬ字状の側面係合片をシュー支持部材に係合して取着している。
【０００５】
このようにシューはシュー支持部材に着脱可能な状態で取り付けられることになるが、シューに形成したＬ字状の側面係合片をシュー支持部材に係合する作業は面倒であると共に、取り付け構造が複雑化して製作コストは高くなってしまう。
【０００６】
【本発明が解決しようとする課題】
このように従来のテンショナーレバーには上記のごとき問題がある。本発明が解決しようとする課題はこれら問題点であって、アームとシューを別々に制作し、該アームにシューを着脱自在に取り付けして構成するものであり、しかも取着構造が簡単であると共に、組み立ても容易で製作コストが安くなるテンショナーレバーにおけるシューの取り付け構造を提供する。一方においては、構造的に共通するチェーンガイド並びにチェーンダンパーも対象にいれる。
【０００７】
【課題を解決する為の手段】
本発明が対象とするテンショナーレバーは金属製アームと樹脂製シューを組み合わせ、シューは着脱自在の取り付け構造と成っている。アームは２枚の側板と側板の両端に設けているブシュ又はピン等の連結部から成り、一方の連結部はテンショナーレバーが揺動する為の軸となり、他方の連結部にはテンショナーレバーをチェーン側へ押圧するためのテンショナーが連結する。ここでアームの具体的な構造は特に限定せず、例えば上記連結部と成る両ブシュを側板に形成した穴に圧入することで所定の間隔で並設した構造とすることが出来る。又は両側板と両連結部を一体化して製作することも可能である。
【０００８】
そしてチェーンの走行始端部と成る揺動軸側の側板端には係合部を突出して形成している。一方のシューは樹脂製又は硬質のゴム製であり、上記アームに接着剤を用いることなく又ネジなどの止着具を用いることなく取着される。そこでチェーンの走行始端部側にはカギ形をした係合片が形成され、他方側にはツメを形成している。ツメは対を成して両ツメ間にはブシュ等の連結部が嵌る空間を有している。従って、係合片を上記係合部に係止しすると共に、両ツメによって連結部を挟むようにツメ間に形成している空間に嵌める。
【０００９】
シューの表側（チェーンが走行する側）には走行するチェーンが外れないようにガイドを両側に突出し、内側（裏側）には凸部を形成している。この凸部はシュー全長にわたって形成してもよいが、複数に分離して設けることもあり、アームの両側板間に嵌ってシューが横ズレしないようにしている。逆に凸部を側板の外側に位置して両凸部の間に側板が嵌るようにすることもある。以下、本発明に係る実施例を図面に基づいて詳細に説明する。
【００１０】
【実施例】
図１は本発明に係るテンショナーレバーを示している実施例であり、アーム１とシュー２から成り、両端にはブシュ３とブシュ４を有している。同図の（ｃ）は（ａ）のＡ−Ａ断面図、（ｂ）は（ａ）のＢ−Ｂ断面図をあらわしているが、シュー２はアーム１に簡単に取着されている。
【００１１】
図２はアーム１を示しているが、該アーム１は金属製であって、２枚の側板５、５とブシュ３、４から成り、ブシュ３、４は上記側板５，５に形成した穴に嵌って両側板５，５を平行に、しかも所定の間隔をおいて固定する為の連結部材である。そして側板５，５の一方端（チェーン走行始端部）側には突出した係合部６，６を形成している。同図に示しているアーム１は２枚の側板５，５と２個のブシュ３，４を組立てた構造と成っているが、例えばダイキャスト材を削り出して製作することも出来る。図３はシュー２を示している実施例で、樹脂を材質とした成形品であり、一方端には係合片７が、他方端には対を成しているツメ８ａ、８ｂを有している。
【００１２】
上記係合片７はＵ形に湾曲してアーム端に形成している係合部６に係合することが出来、そして一対のツメ８ａ、８ｂは間の空間９にブシュ４が嵌る。すなわち、ブシュ４を両ツメ８ａ、８ｂによって挟みこむことが出来る。シュー２はアーム１の上面１０に載り、アーム１から外れないように下面１２に形成した凸部１１，１１を両側板５，５間に嵌めている。同図（ｂ）にＣ−Ｃ断面を示しているように、凸部１１は下面１２の中央に僅かに突出している。
ここで凸部１１をシューの両側に設け、両凸部１１，１１にて側板５，５を挟みこむことが出来る。
【００１３】
一方、シュー２の上面１３の両側にはガイド１４，１４が沿設され、走行するチェーンがテンショナーレバーから外れないようにしている。上記実施例ではテンショナーレバーについて説明したが、チェーンガイド及びチェーンダンパーについては同じてあることから詳細な説明は省略する。以上述べたように、本発明のテンショナーレバー等のシュー取り付け構造は、シュー先端の係合片をアーム端の係合部に係合すると共に、他方に設けた一対のツメをアーム端の連結部を抱くように嵌めたもので、次のような効果を得ることが出来る。
【００１４】
【発明の効果】
本発明が対象とするテンショナーレバー、チェーンガイド、チェーンダンパーは金属製アームに樹脂製シューを取り付けして構成したものであり、構造ならびに製作は簡略化されて製造コストは安くなる。すなわち、アーム端に設けた係合部にはシューの係合片が係合すると共に、アーム他端の連結部にはシューに形成した一対のツメが係合して取り付けられる。従ってシューが磨耗した場合には新たなものと交換可能である。そして、係合片と両ツメにて取り付けたシューであるが、下面に設けた凸部がアームの両側板と互いに嵌合してアームから位置ズレして外れることはない。
【図面の簡単な説明】
【図１】本発明に係るテンショナーレバーを示す実施例。
【図２】アームの具体例。
【図３】シューの具体例。
【図４】従来のテンショナー装置。
【符号の説明】
１  アーム
２  シュー
３  ブシュ
４  ブシュ
５  側板
６  係合部
７  係合片
８  ツメ
９  空間
１０  上面
１１  凸部
１２  下面
１３  上面
１４  ガイド
【図１】
0004208213.tif 000002
【図２】
0004208213.tif 000003
【図３】
0004208213.tif 000004
【図４】
0004208213.tif 000005